(57)【要約】  電子装置は、シャーシ、及び孔を有するプリント配線板（ＰＷＢ）を有する。孔には固定具が設置されて、ＰＷＢをシャーシに固定する。ＰＷＢには一対の導電性トレースが形成される。ある量の導電性接着剤であるキャップが固定具の一部分をカバーすると共に、２つのトレース間の電気絶縁ギャップを埋めて、２つのトレースを接続する導電性経路を形成する。感知回路がトレースに結合され、経路のインピーダンス変化を検出して、改竄事象警告をシグナリングする。他の実施形態も説明され、請求される。【選択図】図１
2013502002.tif 000002
【特許請求の範囲】
【請求項１】
シャーシと、
孔を有するプリント配線板（ＰＷＢ）であって、前記孔に固定具が設置されてＰＷＢを前記シャーシに固定し、ＰＷＢには一対の導電性トレースが形成され、ある量の導電性接着剤であるキャップが前記固定具の一部分をカバーすると共に、前記２つのトレース間の電気絶縁ギャップを埋めて、前記２つのトレースを接続する導電性経路を形成するようなＰＷＢと、
前記一対のトレースに結合されて、前記経路のインピーダンスの変化を検出する感知回路と、
を備えた電子装置。
【請求項２】
設置時に、前記固定具のツール端は、前記孔の外側のＰＷＢの表面より下にあり、前記量の導電性接着剤が前記孔の一部を埋める、請求項１に記載の電子装置。
【請求項３】
前記量の導電性接着剤が前記固定具の前記端に接触する、請求項２に記載の電子装置。
【請求項４】
前記一対の導電性トレースは、前記固定具の前記端より上でＰＷＢの同じ平面に形成される、請求項２に記載の電子装置。
【請求項５】
設置時に、前記固定具のツール端は、前記一対の導電性トレースが形成されるＰＷＢの表面より上にあり、前記量の導電性接着剤が前記固定具の前記端に接触する、請求項１に記載の電子装置。
【請求項６】
導電性部分を有するシャーシと、
孔を有するプリント配線板（ＰＷＢ）であって、ツール端を有する導電性固定具が前記孔に設置されて、ＰＷＢを前記シャーシの導電性部分に固定し、ＰＷＢには回路トレースが形成され、測定された量の導電性接着剤であるキャップが前記固定具のツール端に接触してそれをカバーすると共に、前記回路トレースとツール端との間の電気絶縁ギャップを埋めて、前記固定具を経て前記シャーシの導電性部分に前記回路トレースを接続する導電性経路を形成するようなＰＷＢと、
前記回路トレース及びシャーシの導電性部分に結合されて、前記導電性経路のインピーダンスの変化を検出する感知回路と、
を備えた電子装置。
【請求項７】
前記シャーシの導電性部分は、接地される、請求項６に記載の電子装置。
【請求項８】
前記シャーシの導電性部分は、接地された金属プレート又はブラケットである、請求項６に記載の電子装置。
【請求項９】
前記ＰＷＢは、別の孔を有し、更に別の固定具が前記別の孔に設置されてＰＷＢを前記シャーシに固定し、ＰＷＢには、更に別の一対の導電性トレースが形成され、ある測定された量の導電性接着剤である更に別のキャップが、前記更に別の固定具の一部分をカバーすると共に、前記更に別の一対のトレース間の電気絶縁ギャップを埋めて、前記更に別の一対のトレースを接続する更に別の導電性経路を形成し、
前記感知回路は、前記更に別の一対のトレースに結合されて、前記更に別の経路のインピーダンスの変化を検出し、そして前記経路及び前記更に別の経路は、互いに直列に接続される、請求項１に記載の電子装置。
【請求項１０】
シャーシと、
複数の孔を有するプリント配線板（ＰＷＢ）であって、該ＰＷＢを前記シャーシに固定するように前記孔に各々設置される複数の固定具も有するＰＷＢと、
を備え、各孔に対して、ＰＷＢには各対の導電性トレースが形成され、ある測定された量の導電性接着剤である各キャップが、前記孔内にある前記固定具の一部分をカバーすると共に、前記各対のトレース間の電気絶縁ギャップを埋めて、前記トレース対との各導電性経路を形成し、その各導電性経路は、互いに直列に結合され、更に、
前記直列結合された各導電性経路に結合された感知回路であって、導電性経路のインピーダンスの変化を検出し、そしてそれに応答して、電子装置における改竄事象を評価しログするデータプロセッサへ警告をシグナリングするような感知回路、
を備えた電子装置。
【請求項１１】
前記感知回路は、前記直列結合された各導電性経路に２つのノードにおいてのみ結合される、請求項１０に記載の電子装置。
【請求項１２】
設置時に、前記固定具のツール端は、前記孔内のＰＷＢの表面より下にあり、前記測定された量の導電性接着剤は、前記孔の一部分を埋める、請求項１０に記載の電子装置。
【請求項１３】
前記測定された量の導電性接着剤は、前記固定具の前記端に接触する、請求項１２に記載の電子装置。
【請求項１４】
前記導電性トレースの対は、前記固定具の前記端より上でＰＷＢの同じ平面に形成される、請求項１０に記載の電子装置。
【請求項１５】
設置時に、前記固定具のツール端は、前記導電性トレースの対が形成されるＰＷＢの表面より上にあり、前記測定された量の導電性接着剤が前記固定具の前記端に接触する、請求項１０に記載の電子装置。
【請求項１６】
シャーシと、
複数の孔を有するプリント配線板（ＰＷＢ）であって、該ＰＷＢを前記シャーシに固定するように前記孔に各々設置される複数の固定具も有するＰＷＢと、
を備え、各孔に対して、ＰＷＢには各対の導電性トレースが形成され、ある測定された量の導電性接着剤である各キャップが、前記孔内にある前記固定具の一部分をカバーすると共に、前記各対のトレース間の電気絶縁ギャップを埋めて、前記トレース対との各導電性経路を形成し、その各導電性経路は、ランダムにアクセスできるセンサアレイとして接続され、更に、
前記ランダムにアクセスできるセンサアレイに結合され、一度に１つの各導電性経路に電流を通過させ、次いで、その導電性経路のインピーダンス変化を検出する選択及び感知回路であって、インピーダンス変化を検出するのに応答して、電子装置における改竄事象を評価しログするデータプロセッサへ警告をシグナリングし、その警告は、インピーダンス変化が検出された各導電性経路の前記１つを識別するものである選択及び感知回路、
を備えた電子装置。
【請求項１７】
設置時に、前記固定具のツール端は、前記孔におけるＰＷＢの表面より下にあり、前記測定された量の導電性接着剤が前記孔の一部分を埋める、請求項１６に記載の電子装置。
【請求項１８】
前記測定された量の導電性接着剤は、前記固定具の前記端に接触する、請求項１７に記載の電子装置。
【請求項１９】
前記導電性トレースの対は、前記固定具の前記端より上でＰＷＢの同じ平面に形成される、請求項１６に記載の電子装置。
【請求項２０】
設置時に、前記固定具のツール端は、前記導電性トレースの対が形成されるＰＷＢの表面より上にあり、前記測定された量の導電性接着剤が前記固定具の前記端に接触する、請求項１６に記載の電子装置。
【請求項２１】
電子装置を製造する方法において、
アッセンブルされたプリント配線板（ＰＷＢ）の孔を通して固定具を設置することによりそのＰＷＢを電子装置のシャーシに固定し、ＰＷＢは、前記孔に隣接してＰＷＢの金属層に形成された少なくとも１つの回路トレースを含むものであり、
前記固定具のツール端をカバーしそして前記少なくとも１つの回路トレースとそのツール端との間の電気絶縁ギャップを埋めて改竄センサを形成するに充分な量の導電性接着剤を前記設置された固定具に堆積する、
ことを含む方法。
【請求項２２】
前記アッセンブルされたＰＷＢにおける感知回路の出力を評価することにより前記改竄センサをテストし、前記感知回路は、ＰＷＢの金属層に形成された信号線を通して前記回路トレースに結合され、そして
前記評価に基づいて前記改竄センサの非改竄状態を記録する、
ことを更に含む請求項２１に記載の方法。
【請求項２３】
前記改竄センサの改竄事象を定義するウインドウ又はスレッシュホールドを前記感知回路に設定し、前記感知回路は、前記改竄センサに電圧又は電流を印加し、そして前記改竄センサの出力を前記設定されたウインドウ又はスレッシュホールドと比較して、改竄事象警告をシグナリングすべきかどうか決定するのに使用される、請求項２２に記載の方法。
【発明の詳細な説明】
【技術分野】
【０００１】
本発明は、一般的に、電子装置に係り、より詳細には、電子装置における消費者誤用の発生を検出するための技術に係る。
【０００２】
関連出願：本出願は、２００９年８月１０日に出願された“Mechanisms for Detecting Tampering With a Printed Circuit Board and Exposure to Water in an Electronic Device”と題する米国プロビジョナル特許出願第６１／２３２，６８６号の早期出願日の利益を主張するものである。
【背景技術】
【０００３】
本章は、以下に説明され及び／又は請求される本発明の種々の態様に関連した従来の種々の態様を読者に紹介することを意図している。本開示は、本発明の種々の態様の良好な理解を容易にするために背景情報を読者に与える上で有用であると考えられる。従って、これらの陳述は、この観点で読まれるべきもので、従来技術として認めるものでないことを理解されたい。
【０００４】
消費者によって購入される電子装置は、通常、保証書又は返品方針が製品に添付されて販売され、売主及び／又は製造者は、製品に欠陥がなく且つ少なくとも限定された期間中は動作できる状態を保つことを保証する。例えば、典型的な保証書及び返品方針は、保証期間中に製品に欠陥が発見されるか又は製品が動作しなくなった場合に、製造者又は売主は、製品を交換するか、又は消費者に追加料金をほとんど又は全く課さずに製品を動作状態に回復させるための修理サービスを提供することを明記する。
【０００５】
一般的に、このような保証書又は返品方針は、製品の製造又は設計に関する故障及び欠陥だけをカバーするもので、典型的に、消費者の誤用の結果として生じる製品の故障はカバーしない。実際に、多くの保証方針は、意図的であるかどうかに関わらず、消費者の誤用からのダメージが製品故障の基本的原因であるときには返品又は修理を明確に除外している。例えば、消費者の誤用は、電子装置を液体、極端な温度、又は過剰な衝撃（例えば、装置を落下することから生じる衝撃）に露出させることを含む。又、消費者の誤用は、装置を通常の仕方で動作することに関係のない装置との相互作用（例えば、装置のケース又はハウジングを開けて、内部のコンポーネントを追加し、除去し又は変更すること）を含む改竄からも生じる。
【０００６】
デスクトップパーソナルコンピュータ、ラップトップ又はノートブックコンピュータ、スマートホン、及びポータブルデジタルメディアプレーヤのような電子装置は、エンドユーザ又は消費者によってしばしば改竄される。例えば、あるユーザは、自分で作ろう（do−it−yourself）能力をテストすることが好きで、外部ハウジングを開き、内部の電子的コンポーネント、例えば、プリント配線板又はプリント回路板（ＰＣＢ）の除去又は変更を試すことによって電子装置を修理したり又はその性能を改良したりすることを試みようとする。
【０００７】
当然、販売された製品のある割合は、結局のところ、製品の寿命中のある時点で、機能不良になったり動作しなくなったりする。これが起きたとき、製品がまだ保証期間内である場合には、購入消費者は、故障した又は動作しない装置を、保証協約書の条項に基づいて修理又は交換のために販売店の売主に返品するか又は製造者に直接返品することを選択する。
【発明の概要】
【発明が解決しようとする課題】
【０００８】
しかしながら、大雑把な点検では容易に分からない消費者の誤用のために装置が故障したが、消費者が装置を保証のもとでの修理又は交換のために返品を試みるときに、問題が生じる。多くの場合、特に、販売店において、返品された装置を受け取る係員は、装置が製造欠陥のために故障したか消費者の誤用のために故障したか判断する資格がないか又は訓練されていない。従って、販売店の係員は、多くの場合、顧客との潜在的な争いを避けるために、故障の原因に関わらず、返品された製品を、正常な代替え製品と交換してしまう。その結果、消費者が、保証書の条項のもとでカバーされない誤用された製品に対して代替え製品を受け取ったり修理サービスを受けたりすることは、珍しくない。そのような誤った交換又は修理は、製品の売主及び／又は製造者に費用がかかる。
【課題を解決するための手段】
【０００９】
製造者の元々の仕様に基づいてもはや動作しないユニットを返品するユーザの説明陳述に依存する必要なく消費者の誤用（一般的に、ここでは、改竄と称される）を検出するのが望ましい。本発明の一実施形態は、電子装置からプリント配線板（ＰＷＢ）又はＰＣＢを除去する試みを自動的に検出するのに使用される改竄センサメカニズムである。このメカニズムは、改竄又は侵入検出のための典型的な解決策、即ちＰＣＢ上にしばしば配置されて、ＰＣＢを装置のハウジング又はシャーシに固定する固定具をカバーする接着ラベル又はステッカーにとって代わることができる。本発明の幾つかの実施形態について以下に説明する。
【００１０】
一実施形態において、ＰＷＢに形成された改竄センサは、一対の導電性（回路）トレースより成り、キャップは、ある量の導電性接着剤で、固定具の一部分をカバーし、そして流体であるために、２つのトレース間（を電気的に絶縁している）のエアギャップを埋めて、２つのトレースを接続する導電性経路を形成する。その経路のインピーダンスの変化を検出するために、一対のトレースに結合された感知回路が設けられる。検出されたインピーダンス変化が、固定具を除去する試みがなされた（又は実際に固定具が除去された）ことを指示するに充分であると分かると、感知回路は、それに応答して、電子装置に改竄事象データ構造をログするデータプロセッサに、シャーシからＰＷＢを取り外す試みがなされたことを指示する警告をシグナリングする。
【００１１】
別の実施形態では、単一の回路トレースが固定具の孔に充分接近する（改竄センサを形成するために）。測定された量の導電性接着剤であるキャップが、孔に設置された固定具のツール端に接触しそしてそれをカバーするように配置される。キャップは、回路トレースとツール端との間の電気絶縁ギャップを埋めて、固定具を経てシャーシの導電性部分に回路トレースを接続する導電性経路を形成する。この実施形態では、固定具が導電性経路の一部分として働き、そのインピーダンスが（感知回路によって）変化に対して監視される。
【００１２】
２つ以上の改竄センサが望まれる場合には（例えば、ＰＷＢをシャーシに固定するのに複数の固定具が必要なときには）、各孔に関連した回路トレースの対が互いに直列に接続される。感知回路は、直列接続された全ての改竄センサを通して延びる導電性経路全体のインピーダンスの変化を検出するように結合される。従って、各改竄センサはその非改竄状態では「通常短絡」される（又は「連続性」を示す）ので、いずれかのセンサを伴って改竄がなされると、「開路」が生じ、これが感知回路によりインピーダンスのスレッシュホールド変化として検出される。
【００１３】
あるケースでは、電子装置は、比較的大きなものであるか、或いは多部片ＰＷＢを伴う複雑なものであるか、又は単にＰＷＢを伴うもので、比較的多数の改竄センサを有している。このケースでは、ランダムにアクセスできるセンサ「アレイ」の形態で比較的多数の改竄センサに結合される選択及び感知回路が設けられる。必ずしも長方形ではないが、この実施形態は、改竄センサの各導電性経路へ、一度に１つづつ、電流を通すか又は電圧を印加し、次いで、インピーダンス変化を検出するために、選択及び感知回路によりアサートされる「列」及び「行」センサ選択信号を有すると考えられる。従って、センサアレイは、改竄事象の警告を探して、周期的に「スキャン」される。そのようにする際に、改竄事象の物理的な位置を、選択された行及び列の選択信号により固有に識別することができる。
【００１４】
以上の概要は、本発明の全ての態様を余すところなく列挙するものではない。本発明は、以上に概要を述べた種々の態様、並びに以下の詳細な説明に開示され及び特許請求の範囲に特に指摘された種々の態様のあらゆる適当な組み合わせから具現化できるあらゆるシステム及び方法を含むと考えられる。このような組み合わせは、以上の概要では特に示されていないが、特定の効果を有する。
【００１５】
本発明の実施形態は、同様の要素が同じ参照番号で示された添付図面に一例として示されるが、これに限定されない。この開示において本発明の「一」実施形態又は「１つの」実施形態とは、必ずしも同じ実施形態を指すものではなく、少なくとも１つを意味することに注意されたい。
【図面の簡単な説明】
【００１６】
【図１】電子装置の開放したシャーシの斜視図又は立面図で、改竄センサメカニズムを示す図である。
【図２】改竄センサメカニズムに使用されるＰＷＢの孔の別の構成を示す。
【図３】改竄センサの一例の断面図である。
【図４】改竄センサの別の例、この場合は、接地型改竄センサの断面図である。
【図５】接地型改竄センサの別の例を示す。
【図６】異なる固定具ツール端を有する改竄センサの別の例を示す。
【図７】感知回路の実施例を示す回路図である。
【図８】複数の改竄センサの直列接続を示す。
【図９】選択ロジック及び感知回路に結合された改竄センサのアレイを示す。
【図１０】改竄センサメカニズムのための製造及び生産テストプロセスのフローチャートである。
【図１１】電子装置における改竄検出プロセスのフローチャートである。
【図１２】選択可能なセンサアレイを伴う電子装置の別の改竄検出プロセスのフローチャートである。
【発明を実施するための形態】
【００１７】
添付図面を参照して本発明の幾つかの実施形態を以下に説明する。これら実施形態で述べる部品の形状、相対的位置及び他の観点が明確に定義されないときには、本発明の範囲は、図示された部品のみに限定されず、単なる例示に過ぎないことを意味する。又、多数の細部を示すが、本発明の実施形態は、それらの細部がなくても具現化できることを理解されたい。他の点について、良く知られた回路、構造及び技術は、この説明の理解を不明瞭にしないために、詳細に示されていない。
【００１８】
図１は、電子装置のハウジングの内部の斜視図又は立面図で、本発明の一実施形態による改竄センサメカニズムを伴う開放シャーシを示す図である。電子装置は、デスクトップコンピュータ、ノートブック／ラップトップコンピュータ、パーソナルデジタルアシスタント、タブレットコンピュータ、スマートホン、或いはエンドユーザ又は消費者によって改竄されるおそれのある他の消費者向け電子装置である。
【００１９】
この装置は、データプロセッサ３０を備え、これは、不揮発性メモリ３２を使用して、種々の典型的な機能（例えば、汎用コンピューティング、デスクトップコンピュータアプリケーション、ワイヤレス電話及びワイヤレスインターネットアクセスを含む移動アプリケーション、並びにマルチメディア記録及び再生、例えば、ビデオ及びオーディオ）を遂行する従来のプログラム可能なマイクロプロセッサベース（又はハードワイヤード状態マシンベース）の回路である。これらの機能は、例えば、スマートホンの典型である次のハードウェアコンポーネントを使用して遂行される。即ち、Ｉ／Ｏポート３８（例えば、シリアルコンピュータ周辺通信バス）、ユーザ入力装置３６（例えば、キーボード、マウス及びタッチ感知パネル）、ディスプレイ装置３４（例えば、液晶表示パネル）、オーディオＩ／Ｏインターフェイス４０（例えば、マイクロホン及びスピーカ）、並びにネットワークインターフェイス３９（例えば、イーサネット（登録商標）及びワイヤレスローカルエリアネットワークプロトコルのためのネットワークインターフェイスコントローラ、移動テレコミュニケーション及びセルラーテレコミュニケーショントランシーバ回路）。これらコンポーネントのほとんどは、ＰＷＢ４（プリント回路板ＰＣＢとも称される）内に設置（一緒に配線）される。ＰＷＢ４は、例えば、フレックスコネクタによって互いに接続される２つ以上のセグメントを有する。又、装置のシャーシ２には、貫通孔６を有するＰＷＢ４が、その孔に設置される固定具１１を使用して固定される。シャーシ２は、装置の外部ハウジング内の個別の金属フレーム又はブラケットでもよいし、又は外部ハウジングそれ自体の一部分でもよい（例えば、固定具１１が取り付けられるシャーシパッドを有するプラスチックフレーム又はサポート部材）。貫通孔６は、図１に示すように、ＰＷＢ４の境界の内側に位置されるが、図２に示すように、正に境界又は縁にあってもよい。固定具１１は、スクリュー、ナット及びボルトの組み合わせでよく、又は孔６を貫通するシャーシにＰＷＢを固定できる他の適当な代替え物でもよい。スクリュータイプの固定具、及びその固定具でＰＷＢをシャーシにどのように固定するかの幾つかの可能性を図３−６に示して以下に説明する。
【００２０】
ＰＷＢ４には、回路トレース８、９とも称される一対の導電性トレースが孔６に隣接して又はその付近に形成される。それらは、導電性パッドとも称され、導電性接着剤キャップ１２も含む改竄センサ１０の一部分として、それらの目的に対し、その形状及びサイズに関して特別に構成される。接着剤キャップ１２は、図３−６に示すように、測定された量の導電性接着剤で、固定具１１の少なくとも一部分をカバーし、そして２つのトレース８、９間の電気絶縁性ギャップを埋めて、導電性経路を完成する。ＰＷＢ４に組み立てられ又は設置されるか、さもなければ、電子装置のハウジング内に存在する感知回路２５は、一対のトレース８、９に結合されて、改竄センサ１０のインピーダンス変化、より詳細には、２つのトレース８、９を接続するキャップ１２を通る導電性経路のインピーダンス変化を検出する。
【００２１】
図３−６に見られるように、導電性接着剤キャップ１２が固定具１１のツール端をカバーし、シャーシからＰＷＢ４を取り外すためには、固定具１１のツール端にツールを係合して固定具１１を除去するか又は充分に緩め、ＰＷＢ４を除去又は取り外せるようにする前に、キャップ１２の一部分を破壊又は除去する必要がある。キャップ１２は、開口の少なくとも一部分を埋めるか又はツール端の角をカバーするようにツール端に接触し、スクリュードライバーのようなツールを固定具に係合できないようにしている。例えば、ユーザは、固定具１１のツール端のキー溝付き頂面に正しいレンチを係合する前に（そしてそのレンチを回転するか又は他の仕方で操作して、固定具を回転するか又は他の仕方でシャーシ２から解離する前に）、キャップ１２の少なくとも一部分を先ず破壊しなければならない。キャップ１２のこの破壊は、２つのトレース８、９を接続する導電性経路のインピーダンスを変化させ、そのような変化が感知回路２５によって検出される。１つの実施形態では、キャップ１２がそのように破壊されると、たとえユーザがその後に固定具をシャーシから解離することを望まないか又は解離することができなくても、インピーダンスは充分に増加する。別の実施形態では、ＰＷＢ４を除去できるように固定具のツール端が緩められるか、或いはツール端がシャーシから除去されるまで、キャップ１２の必要な破壊（「改竄事象」として検出されるに充分な）が生じない。キャップ１２の形状及びサイズ並びにその材料（及び導電率）は、（先ずキャップ１２を破壊することにより）固定具を解離すると、おそらく感知回路２５により検出できるに充分なインピーダンス変化が生じるように選択されねばならない。
【００２２】
図１に戻ると、感知回路２５は、トレース８、９を接続する導電性経路のインピーダンスの変化を検出すると、その応答において、電子装置１０のデータプロセッサ３０へ改竄事象警告をシグナリングする。データプロセッサ３０は、次いで、（ＰＷＢ４に２つ以上のセンサあれば）改竄センサを識別する改竄事象と、おそらくその事象の日時とのデータ構造を生成することにより、改竄事象を評価して不揮発性メモリにログし、次いで、装置の動作をディスエイブルする。例えば、改竄事象警告を受け取るのに応答して、装置を修理のために製造者へ返品することをユーザに指示するメッセージが表示される以外、装置の全ての動作がディスエイブルされる。データプロセッサ３０により遂行されるそのような上位層消費者誤用管理機能に関する付加的な細部は、２００８年２月１日に出願された“”と題する米国特許出願公告第２００９／０１９５３９４号に記載されている。
【００２３】
図３を参照すれば、改竄センサ１０の一例の断面図が示されている。この実施形態では、固定具のツール端（頭部１４と称される）は、一対の導電性トレース８、９が形成されるＰＷＢ４の表面上にある。導電性トレースは、ほとんどの場合に、ＰＷＢ４の同じ平面、即ち同じ金属層、特に、最も上の金属層に形成されることに注意されたい。しかしながら、図６を参照して以下に述べるように、１つの別の態様は、トレース８、９の少なくとも一方を下位の金属層（ＰＷＢ４の最も上の表面より下）に形成することである。
【００２４】
更に、図３を参照すれば、導電性接着剤キャップ１２は、図示されたように、固定具のツール端の頂面に接触する。このケースでは、導電性接着剤が開口の充分な部分を埋めるか、又は固定具のツール端の少なくとも一角をカバーし、ツール又はレンチが（キャップ１２を破壊せずに）固定具に係合できないようにする。この例の固定具は、シャーシのシャーシパッド１６にねじ込まれ、その際に、ＰＷＢ４を、図示されたように、シャーシパッド１６の頂部に固定する六角ボルト又はスクリューである。
【００２５】
導電性接着剤キャップ１２は、トレース８、９に電気的に接続され、それらの間に導電性経路を与える。測定された量の導電性接着剤とは、トレース８、９間のギャップ内に流れてギャップを埋めるに充分であり且つツール又はレンチを使用して固定具を解離するのを防止するに充分な厚みのバリアを固定具のツール端上に設ける量である。実際に、導電性接着剤キャップ１２は、測定された量の導電性接着剤を流体の形態で固定具の頭部１４のほぼ中心に堆積し、次いで、頭部上に定住又は拡散させてトレース８、９に接触させた結果である。この測定された量の導電性接着剤は、次いで、図示された最終的な形状へと硬化又は個化され、固定具のツール端にレンチ又は他のツールを係合させるには接着剤を破壊しなければならなくする。
【００２６】
図４は、改竄センサ１０の別の例、このケースでは、接地型改竄センサ１９の断面図である。このケースでの固定具１１は、導電性ボルトであり、接地されたシャーシの導電性部分への導電性経路を形成する。より詳細には、金属スクリューが示され、これは、その開放端へとねじ込まれるナット１８によって、ＰＷＢ４の下で金属シャーシプレート又はブラケットに固定される。又、このケースでは、固定具１１の頭部１４は、ＰＷＢ４へと下方に凹設され、設置時に、頭部１４は、孔の外側のＰＷＢの最上面より下となる。更に、導電性接着剤キャップは、ここでも、頭部１４が設置されるＰＷＢの凹所の一部分を埋める。
【００２７】
図５を参照すれば、接地型改竄センサ１９の別の例が示され、今度は、単一のトレース８を使用するもので、トレース９は使用せず、導電性接着剤キャップ１２により形成される導電性経路と接触する。この実施形態では、図４と同様に、固定具が導電性である。特に、その頭部１４が導電性であり、接着剤キャップ１２がトレース８及び頭部１４に接触して堆積されたとき、導電性経路が固定具の本体を経て回路トレース８をシャーシの導電性部分（このケースでは、これも接地された金属シャーシプレート又はブラケット２０）に接続する。感知回路２５（図示せず）は、単一のトレース８に結合されるが、接地接続（例えば、ＰＷＢ接地平面）を経て金属シャーシプレート又はブラケット２０にも結合される。これは、感知回路２５が、図３の「フローティング」改竄センサ１０と同様に導電性経路のインピーダンスの変化を検出できるようにし、但し、改竄センサ１９は、接地されるが、図３に示す改竄センサ１０はその必要がない。
【００２８】
又、図４及び５は、シャーシプレート又はブラケット２０を接地することにより接地される改竄センサ１９を示すが、その別の態様は、金属のシャーシプレート又はブラケット２０を接地点の上にフローティングさせることである点にも注意されたい。そのケースでは、感知回路２５は、センサ１９のインピーダンスを感知できるようにするためにシャーシプレート又はブラケット２０への接続をもつことが依然必要であるが、そのような接続は、このケースでは、接地されない。
【００２９】
図６は、改竄センサ１０の更に別の例を示すもので、このケースでは、固定具１１のツール端は、スクリューの開放ねじ切り端で、そこにナット１８が設置されて、ＰＷＢ４を固定する。この実施形態も、固定具のツール端がＰＷＢ４の最上面の切欠部又はくぼみ又は凹所内に置かれるという点で、図４と同様である。この実施形態では、他と同様に、導電性接着剤キャップ１２は、トレース８及びトレース９に接触し、従って、それらトレース間に導電性経路を与え、その経路のインピーダンスは、実質的に変化する（即ち、シャーシからＰＷＢを除去するために固定具１１からナット１８を除去しようと試みたときに増加する）。ＰＷＢ４の金属最上層にトレース８、９を形成するのとは別に、この実施形態では、トレース８、９の一方又は両方が凹所の上面に露出されるＰＷＢ４の金属下層に「埋設」されることに注意されたい（ナット１８との間に絶縁ギャップを形成して導電性接着剤キャップ１２を埋めるためにナットに隣接するがナットから離間して）。
【００３０】
図７を参照すれば、感知回路２５の一実施形態の回路図が示されている。感知回路２５は、既知の電流源２１から電圧又は電流を印加することにより改竄センサ１０をアクチベートするようにトランジスタスイッチ２２を制御する制御信号オン／オフを入力として受け取る。この例では、改竄センサ１０は、接地される必要がなく、フローティング型のものでよいことに注意されたい。或いは又、接地型の改竄センサ１９が使用されてもよい。増幅器２３は、（スイッチ２２がターンオンされたときに）改竄センサ１０にまたがって発生する電圧を測定するために、ある電圧利得で構成される。下限比較器及び上限比較器を含むウインドウ検出器２４を使用して、改竄センサ１０のインピーダンスの尺度が取り出される。各比較器のスレッシュホールドは、デジタル／アナログコンバータ（ＤＡＣ）２６を使用してプログラムすることができる。改竄センサ１０間で測定された電圧が規定のウインドウ内に入らず、即ち下限比較器のスレッシュホールドより低いか又は上限比較器のスレッシュホールドより高いことを検出器２４が指示するときには、感知回路２５の出力に改竄事象警告信号がアサートされる。この警告信号は、図１のデータプロセッサ３０で実行される上位層消費者誤用管理機能に与えられる。
【００３１】
例えば、設計又はテスト段階において、改竄センサ１０の非改竄状態であると考えられる電圧範囲（又はそれと同等で、インピーダンス範囲）を選択するために、多数のアクチベートされた改竄センサ１０をテストし又はシミュレーションすることにより、非改竄状態における改竄センサ１０の所与の電圧範囲又はウインドウが決定される。このウインドウは、もちろん、特に、導電性接着剤キャップ１２の導電率を含む改竄センサ１０の設計に依存する。このウインドウは、非改竄状態と、改竄又は破壊状態との両方におけるサンプル改竄センサ１０の実験的分析に基づいて決定される。改竄センサ１０の多数のサンプル、及び破壊又は改竄状態の多数の例から、非改竄状態を定義する「最良適合」ウインドウを選択するための統計学的データが取り出される。この定義されたウインドウは、不揮発性メモリ３２（図１）に記憶され、データプロセッサ３０は、適当なソフトウェアを実行する間に、この定義されたウインドウをメモリ３２からアクセスし、それに応じて一対のＤＡＣ２６をプログラムし、ウインドウ検出器２４のスレッシュホールドを動作に対して初期化する。それとは別に、ＰＷＢ４の製造及びアッセンブル時に、ウインドウスレッシュホールドを固定配線してもよい。
【００３２】
このウインドウ決定プロセスを使用して、導電性接着剤キャップ１２の材料の量及び／又はタイプを選択し、例えば、その抵抗値が狭いウインドウ内に入るようにする上で助けとすることができる。例えば、キャップ１２の導電率は、銅のような純粋な導体より実質的に低い狭い範囲（ウインドウ）に入るように設計される。
【００３３】
図７の感知回路２５を更に参照すれば、電流ソース２１は、多数の個別のＤＣ電流レベル（例えば、１０ｍＡ、１００ｍＡ、２５０ｍＡ）でプログラムすることができる。これは、データプロセッサ３０が、特定の改竄センサ１０を有する特定のポータブル装置に対し感知回路２５を更にカスタマイズできるようにする。電源（Ｖcc）に関して、これは、ポータブル装置内のバッテリから得られてもよいし、又は別の「常時オン」の電源レールであってもよい。電源レールとトランジスタスイッチ２２との間に直列に保護ダイオードが含まれてもよいことに注意されたい。又、増幅器２３の利得は、異なるタイプの改竄センサ１０をサポートするために（例えば、データプロセッサ３０のコマンドのもとで）プログラムすることができる。ウインドウ検出器２４は、一対の比較器として示されているが、それとは別に、非改竄状態を低い精度で又はより広く定義するために、単一の比較器を使用してもよいことに注意されたい。例えば、単一の比較器は、単一のスレッシュホールド電圧で使用され、非改竄状態は、そのスレッシュホールドより低い増幅器２３の出力の電圧として定義される（改竄状態では、改竄センサ１０間の電圧がそのスレッシュホールドより上に増加する）。
【００３４】
図８を参照すれば、複数の改竄センサの直列接続が示されている。センサＳ1、Ｓ2、・・・ＳNの各々は、ユーザがそれらの１つを改竄するまで、低い抵抗（ここでは、一般的に、「短絡」又は「通常短絡」）を有すると考えられる。Ｎ個のセンサのいずれか１つが改竄されると、直列ブランチに高い抵抗状態（又は一般的に、ここでは「開路」と称される）が生じ、これが、次いで、感知回路２５によりセンサ間の上昇電圧として検出される（図７を参照）。これは、ＰＷＢ４を固定するのに必要な複数の固定具をこのように保護できるようにする一方、このような侵入検出機能を具現化するのに必要な電子装置のピンの本数を節減することができる。換言すれば、各個々のセンサＳ1、Ｓ2、・・・に対して個別の感知回路２５を有するのではなく、図７のような単一のウインドウ検出器２４がＮ個の直列接続されたセンサにより共用される。
【００３５】
図９を参照すれば、これもピンの本数を減少するのに有用な別のマルチセンサ構成が示されている。ここでは、改竄センサＳ11、Ｓ12、・・・ＳMNの「アレイ」が示され、このアレイにはＭｘＮ個のセンサがある。このいわゆるアレイ又はマトリクス構成は、ランダムにアクセスできるセンサアレイを形成するように個々の列選択及び行選択線がセンサＳijのアレイに接続されたスキャンセンサ実施形態とも称される。ピンの本数を減少するのに加えて、このような構成は、欠陥（改竄事象）を正確に特定するように望ましい個々のセンサＳijを分離すると共に、所与の瞬間に単一のセンサをターンオン又はアクチベートするだけでよいので電力消費を減少することができる。例えば、センサＳ22をアクチベートするには、行選択線２及び列選択線２のみをアクチベートして、電流ソース２１がそのセンサのみに電流を強制的に流せるようにすればよい。このケースでは、各センサは、非改竄状態において通常短絡される改竄センサ１０、１９の一例である。状態検出又は感知回路２５は、図示されたように、スイッチ又はマルチプレクサ２７を通して特定の列選択線に接続されて、行及び列選択ロジック２８により指令されたアレイの１つのセンサの状態を検出できるようにされる。その行のトランジスタスイッチ２９だけをターンオンすることにより単一のセンサを選択することができる。行及び列選択ロジック２８は、データプロセッサ３０から受け取ったセンサ選択を、アクチベートされるべき適当な列及び行選択線へとデコードする。この実施形態では、行選択線は、各トランジスタスイッチ２９のゲート又はコントロール電極へ接続された比較的高インピーダンスの線であり、一方、列選択線は、所与のセンサをアクチベート又は駆動するために電流ソース２１へ切り換えられる。「列」及び「行」の呼称は、２つのタイプの選択線間を区別するためにのみ使用されるもので、ランダムにアクセスできるセンサアレイの構成を限定するものではない。
【００３６】
図１０は、改竄センサメカニズムのための製造及び生産テストプロセスのフローチャートである。動作はブロック４２で始まり、固定具を設置するときに通す孔を有するＰＷＢが形成される。ＰＷＢは、孔に隣接してＰＷＢの金属上層に形成された少なくとも１つの回路トレース（例えば、一対の回路トレース）を含む。それとは別に、ＰＷＢの埋設金属層に回路トレースが形成されてもよい。次いで、電子コンポーネント（パッケージされた集積回路、コネクタ、及び個別回路装置のような）がＰＷＢ上にアッセンブル（例えば、半田付け）される。これらコンポーネントは、少なくとも１つの信号線（例えば、ＰＷＢの１つ以上の金属層に形成された一対の信号線）を通して回路トレースに結合される感知回路を含む。アッセンブルされたＰＷＢを電子装置のシャーシに固定して動作を続ける（ブロック４６）。例えば、ＰＷＢは、シャーシの金属又はプラスチックプレート或いはブラケット部分に固定される。これは、孔を通して固定具を設置してＰＷＢをシャーシに固定することにより達成される。次いで、その設置された固定具にある量の導電性接着剤が堆積され、その量は、（導電性接着剤を実質的に破壊しない限り）固定具へのアクセスを防止するように固定具のツール端の少なくとも一部分をカバーするのに充分なものである。堆積された導電性接着剤は、次いで、少なくとも１つの回路トレースとツール端との間、又は一対の回路トレース間のエアギャップに流れ込んでそれを埋め、改竄センサの導電性経路を形成することができるようにされる。堆積された導電性接着剤は、流体であり、それ故、ギャップへ流れ込んで広がるときに、ツール端の形状に適合し、テストの前に硬化及び個化することができる。改竄センサメカニズムは、関連センサ回路の出力を測定又は評価することによりテストされる（ブロック５０）。特に、改竄センサの非改竄状態は、記録されて、規定のウインドウ内に入る（又は所与のスレッシュホールド電圧より上である）ことが検証される。センサの改竄事象を定義するこのウインドウ又はスレッシュホールドは、感知回路へ固定配線されてもよいし、或いはＰＷＢに設置された不揮発性メモリに書き込まれてもよい。アッセンブルされたＰＷＢは、これで、生産テストのこの観点に合格すると思われる。
【００３７】
図１１は、電子装置で実行される改竄検出プロセスのフローチャートである。プロセスは、動作５２で開始され、改竄事象を定義するウインドウ又はスレッシュホールドを初期化することを含めて、感知回路がリセットされる。それとは別に、改竄事象を定義するウインドウ又はスレッシュホールドが感知回路へ固定配線されてもよい。次いで、感知回路がイネーブル又はアクチベートされ、それに結合された少なくとも１つの改竄センサに電圧（電流）を印加する（ブロック５４）。これは、データプロセッサが、上述した図７の感知回路２５にオン／オフ信号をアサートすることにより行われる。次いで、データプロセッサは、感知回路からの改竄事象警告信号を待機する（ブロック５６）。データプロセッサが改竄事象警告信号を「待機する」という言及は、プロセッサが感知回路をポーリングする状態及びそれが警告により割り込まれるときの状態の両方を包含することに注意されたい。ブロック５６に続いて改竄事象警告が受け取られると、データプロセッサは、検出された改竄事象をログする（ブロック５８）。これは、改竄警告が受け取られたところのセンサを識別し、そしてその識別を、その警告に関連した日時スタンプと一緒に記憶することを含む。ログされた改竄事象は、電子装置内の不揮発性メモリに記憶される。次いで、ある装置動作がディスエイブルされ（ブロック５９）、そして修理のために装置を返品するための指示が電子装置のユーザに表示され又は与えられる（ブロック６０）。装置が製造者に返品されると、ログされた改竄事象が読み取られ、そして改竄されたセンサを検査して、電子装置が実際にユーザにより改竄されたことを確認することができる。
【００３８】
図１２は、今度は、選択可能な又はランダムにアクセス可能なセンサアレイを含む電子装置における別の改竄検出プロセスのフローチャートである。動作は、ブロック６２で開始され、電子装置に一体化された選択可能な改竄センサのアレイに対する改竄事象を定義するウインドウ又はスレッシュホールドを初期化することを含めて、感知回路がリセットされる。感知回路を各々の異なるウインドウ又はスレッシュホールドに対して再構成又はプログラムできるならば、各改竄センサに異なるウインドウ又はスレッシュホールドを関連付けることができる。動作は、ブロック６４へと続き、感知回路をイネーブルして、少なくとも１つの選択された改竄センサに電圧（電流）を印加する。例えば、図９の実施形態では、これは、データプロセッサ３０からのセンサ選択コマンドを行及び列選択ロジック２８へ送信することにより達成され、その選択ロジック２８は、それに応答して、要求された選択を、アクチベート又はアサートされる適当な一対の列及び行選択線へとデコードする。これは、次いで、感知回路２５をアレイ内の特定のセンサに接続させる。その時点で改竄事象が検出されると（ブロック６６）、感知回路は、その改竄事象警告信号をデータプロセッサへアサートし、それに応答して、データプロセッサは、選択されたセンサに関連する検出された改竄事象をログする（ブロック６８）。感知回路２５によって改竄事象が検出されない場合には、データプロセッサが、これを認識して、別の改竄センサを選択する（ブロック６７）。これは、行及び列選択ロジック２８へ別のセンサ選択コマンドを送信することにより達成される。従って、アレイは、ブロック６８において改竄事象が検出されてログされるまで、このようにスキャンされる。その後、装置の動作は、検出された改竄事象に応答してディスエイブルされ（ブロック６９）、そしてユーザは、装置を修理のために返品するよう指示される（ブロック７０）。
【００３９】
幾つかの実施形態を添付図面に示して説明したが、そのような実施形態は、本発明を単に例示するもので、それに限定されないことを理解されたい。又、本発明は、当業者であれば、他の種々の変更がなされ得るので、図示して説明した特定の構造及び構成に限定されない。例えば、図示された固定具１１は、ねじ切りされたタイプであったが、異なるタイプ又は他のツール（シャーシからそれを解離するのに依然レンチを必要とする）、例えば、リベット、バネ負荷のかかった１／４回転のプランジャーでもよい。従って、この説明は、限定ではなく、例示と考えるべきである。
【符号の説明】
【００４０】
２：シャーシ
４：ＰＷＢ
６：貫通孔
８：トレース
９：トレース
１０：改竄センサ
１１：固定具
１２：導電性接着剤キャップ
１４：頭部
１６：シャーシパッド
１８：ナット
１９：接地型改竄センサ
２０：金属シャーシプレート又はブラケット
２５：感知回路
３０：データプロセッサ：
３２：不揮発性メモリ
３４：ディスプレイ装置
３６：ユーザ入力装置
３８：Ｉ／Ｏポート
３９：ネットワークインターフェイス
４０：オーディオＩ／Ｏインターフェイス
【図１】
2013502002.tif 000003
【図２】
2013502002.tif 000004
【図３】
2013502002.tif 000005
【図４】
2013502002.tif 000006
【図５】
2013502002.tif 000007
【図６】
2013502002.tif 000008
【図７】
2013502002.tif 000009
【図８】
2013502002.tif 000010
【図９】
2013502002.tif 000011
【図１０】
2013502002.tif 000012
【図１１】
2013502002.tif 000013
【図１２】
2013502002.tif 000014
【手続補正書】
【提出日】平成24年4月6日(2012.4.6)
【手続補正１】
【補正対象書類名】特許請求の範囲
【補正対象項目名】全文
【補正方法】変更
【補正の内容】
【特許請求の範囲】
【請求項１】
シャーシと、
孔を有するプリント配線板（ＰＷＢ）であって、前記孔に固定具が設置されてＰＷＢを前記シャーシに固定し、ＰＷＢには一対の導電性トレースが形成され、ある量の導電性接着剤であるキャップが前記固定具の一部分をカバーすると共に、前記２つのトレース間の電気絶縁ギャップを埋めて、前記２つのトレースを接続する導電性経路を形成するようなＰＷＢと、
前記一対のトレースに結合されて、前記経路のインピーダンスの変化を検出する感知回路と、
を備えた電子装置。
【請求項２】
設置時に、前記固定具のツール端は、前記孔の外側のＰＷＢの表面より下にあり、前記量の導電性接着剤が前記孔の一部を埋める、請求項１に記載の電子装置。
【請求項３】
前記量の導電性接着剤が前記固定具の前記端に接触する、請求項２に記載の電子装置。
【請求項４】
前記一対の導電性トレースは、前記固定具の前記端より上でＰＷＢの同じ平面に形成される、請求項２に記載の電子装置。
【請求項５】
設置時に、前記固定具のツール端は、前記一対の導電性トレースが形成されるＰＷＢの表面より上にあり、前記量の導電性接着剤が前記固定具の前記端に接触する、請求項１に記載の電子装置。
【請求項６】
導電性部分を有するシャーシと、
孔を有するプリント配線板（ＰＷＢ）であって、ツール端を有する導電性固定具が前記孔に設置されて、ＰＷＢを前記シャーシの導電性部分に固定し、ＰＷＢには回路トレースが形成され、測定された量の導電性接着剤であるキャップが前記固定具のツール端に接触してそれをカバーすると共に、前記回路トレースとツール端との間の電気絶縁ギャップを埋めて、前記固定具を経て前記シャーシの導電性部分に前記回路トレースを接続する導電性経路を形成するようなＰＷＢと、
前記回路トレース及びシャーシの導電性部分に結合されて、前記導電性経路のインピーダンスの変化を検出する感知回路と、
を備えた電子装置。
【請求項７】
前記シャーシの導電性部分は、接地される、請求項６に記載の電子装置。
【請求項８】
前記シャーシの導電性部分は、接地された金属プレート又はブラケットである、請求項６に記載の電子装置。
【請求項９】
前記ＰＷＢは、別の孔を有し、更に別の固定具が前記別の孔に設置されてＰＷＢを前記シャーシに固定し、ＰＷＢには、更に別の一対の導電性トレースが形成され、ある測定された量の導電性接着剤である更に別のキャップが、前記更に別の固定具の一部分をカバーすると共に、前記更に別の一対のトレース間の電気絶縁ギャップを埋めて、前記更に別の一対のトレースを接続する更に別の導電性経路を形成し、
前記感知回路は、前記更に別の一対のトレースに結合されて、前記更に別の経路のインピーダンスの変化を検出し、そして前記経路及び前記更に別の経路は、互いに直列に接続される、請求項１に記載の電子装置。
【請求項１０】
シャーシと、
複数の孔を有するプリント配線板（ＰＷＢ）であって、該ＰＷＢを前記シャーシに固定するように前記孔に各々設置される複数の固定具も有するＰＷＢと、
を備え、各孔に対して、ＰＷＢには各対の導電性トレースが形成され、ある測定された量の導電性接着剤である各キャップが、前記孔内にある前記固定具の一部分をカバーすると共に、前記各対のトレース間の電気絶縁ギャップを埋めて、前記トレース対との各導電性経路を形成し、その各導電性経路は、互いに直列に結合され、更に、
前記直列結合された各導電性経路に結合された感知回路であって、導電性経路のインピーダンスの変化を検出し、そしてそれに応答して、電子装置における改竄事象を評価しログするデータプロセッサへ警告をシグナリングするような感知回路、
を備えた電子装置。
【請求項１１】
前記感知回路は、前記直列結合された各導電性経路に２つのノードにおいてのみ結合される、請求項１０に記載の電子装置。
【請求項１２】
設置時に、前記固定具のツール端は、前記孔内のＰＷＢの表面より下にあり、前記測定された量の導電性接着剤は、前記孔の一部分を埋め、そして前記測定された量の導電性接着剤は、前記固定具の前記端に接触する、請求項１０に記載の電子装置。
【請求項１３】
前記導電性トレースの対は、前記固定具の前記端より上でＰＷＢの同じ平面に形成される、請求項１０に記載の電子装置。
【請求項１４】
設置時に、前記固定具のツール端は、前記導電性トレースの対が形成されるＰＷＢの表面より上にあり、前記測定された量の導電性接着剤が前記固定具の前記端に接触する、請求項１０に記載の電子装置。
【請求項１５】
シャーシと、
複数の孔を有するプリント配線板（ＰＷＢ）であって、該ＰＷＢを前記シャーシに固定するように前記孔に各々設置される複数の固定具も有するＰＷＢと、
を備え、各孔に対して、ＰＷＢには各対の導電性トレースが形成され、ある測定された量の導電性接着剤である各キャップが、前記孔内にある前記固定具の一部分をカバーすると共に、前記各対のトレース間の電気絶縁ギャップを埋めて、前記トレース対との各導電性経路を形成し、その各導電性経路は、ランダムにアクセスできるセンサアレイとして接続され、更に、
前記ランダムにアクセスできるセンサアレイに結合され、一度に１つの各導電性経路に電流を通過させ、次いで、その導電性経路のインピーダンス変化を検出する選択及び感知回路であって、インピーダンス変化を検出するのに応答して、電子装置における改竄事象を評価しログするデータプロセッサへ警告をシグナリングし、その警告は、インピーダンス変化が検出された各導電性経路の前記１つを識別するものである選択及び感知回路、
を備えた電子装置。
【請求項１６】
設置時に、前記固定具のツール端は、前記孔におけるＰＷＢの表面より下にあり、前記測定された量の導電性接着剤は、前記孔の一部分を埋め、そして前記測定された量の導電性接着剤は、前記固定具の前記端に接触する、請求項１５に記載の電子装置。
【請求項１７】
前記導電性トレースの対は、前記固定具の前記端より上でＰＷＢの同じ平面に形成される、請求項１５に記載の電子装置。
【請求項１８】
設置時に、前記固定具のツール端は、前記導電性トレースの対が形成されるＰＷＢの表面より上にあり、前記測定された量の導電性接着剤が前記固定具の前記端に接触する、請求項１５に記載の電子装置。
【請求項１９】
電子装置を製造する方法において、
アッセンブルされたプリント配線板（ＰＷＢ）の孔を通して固定具を設置することによりそのＰＷＢを電子装置のシャーシに固定し、ＰＷＢは、前記孔に隣接してＰＷＢの金属層に形成された少なくとも１つの回路トレースを含むものであり、
前記固定具のツール端をカバーしそして前記少なくとも１つの回路トレースとそのツール端との間の電気絶縁ギャップを埋めて改竄センサを形成するに充分な量の導電性接着剤を前記設置された固定具に堆積する、
ことを含む方法。
【請求項２０】
前記アッセンブルされたＰＷＢにおける感知回路の出力を評価することにより前記改竄センサをテストし、前記感知回路は、ＰＷＢの金属層に形成された信号線を通して前記回路トレースに結合され、
前記評価に基づいて前記改竄センサの非改竄状態を記録し、
前記改竄センサの改竄事象を定義するウインドウ又はスレッシュホールドを前記感知回路に設定し、前記感知回路は、前記改竄センサに電圧又は電流を印加し、そして前記改竄センサの出力を前記設定されたウインドウ又はスレッシュホールドと比較して、改竄事象警告をシグナリングすべきかどうか決定するのに使用される、請求項１９に記載の方法。
【国際調査報告】
2013502002.tif 000015
2013502002.tif 000016
2013502002.tif 000017